(57)【要約】      （修正有）【課題】自動車のハンドルに取り付ける盗難防止警報装置において、取付性がよく、軽量で汎用性があり、制御回路の操作性が良いこと。【解決手段】ケース本体１内に、電池３と、赤外線センサー受光器６と、それぞれ振動センサーに連なるブザー８とフラッシュ７と、作動切換えスイッチ１８と、上記各電気部材の配線基板９を備え、ケース本体の下端部に、ハンドルＨの外側に沿う当接部１０を設け、ケース本体１の背面側に、逆止爪を連設したラック部と、下部前方に当接部１０と対向して内側からハンドルに沿う挟持部１１とを備えたロックバー１２を嵌合し、ケース本体１内に、上記ロックバーのラック部の逆止爪と内端部を係合させる回転レバー１８と、該レバーを常時ラック部に向けて付勢するばね１９とを備えた施錠機構５を設け、上記ロックバーに、上昇時に上記作動切換えスイッチをＯＮする接片部２２を設けハンドルに取り付ける。【選択図】        図３
2004168178.tif 000002
【特許請求の範囲】
【請求項１】
ほぼ箱型のケース本体内に、電池と、赤外線センサー受光器と、それぞれ振動センサーに連なるブザーとフラッシュと、作動切換えスイッチと、上記各電気部材の作動を制御するようにした配線基板を内蔵し、ケース本体の下端部に、自動車のハンドルリングの円弧の外側に沿う当接部を設け、このケース本体の背面側に、高さ方向に沿って逆止爪を連設したラック部と、下部前方に上記当接部と対向して内側からハンドルリングの円弧に沿う挟持部とを備えたロックバーを昇降自在に嵌合し、該ケース本体内に、上記ロックバーのラック部の逆止爪と内端部を係合させる回転レバーと、該回転レバーを常時ラック部に向けて付勢するばねとを備えた施錠機構を設け、上記ロックバーに、上昇時に上記作動切換えスイッチをＯＮする接片部を設けたことを特徴とする自動車のハンドルに取り付ける盗難防止警報装置。
【発明の詳細な説明】
【０００１】
【産業上の利用分野】
本発明は、使用者が自動車から離れる際にハンドルにセットしておけるようにした自動車のハンドルに取り付ける盗難防止警報装置に関し、施錠して駐車状態にある自動車の振動を検出して警報を発信する警報器を備えて自動車の盗難を防止するようにしたことを特長とするものである。
【０００２】
【従来の技術】
従来のこの種の盗難防止警報装置には、それぞれに突起を備えて伸縮を可能にした２本のバーをハンドルの直径方向に差し渡し状に固定して施錠し、ハンドル操作を機械的に不能にするようにしたものがある（例えば、特許文献１参照）。また、ステアリングハンドル内に備えた熱振動感知部からの電気信号によって警報装置を作動させて、ヘッドランプとか警笛とかハザードランプを作動させるようにしたものがある（例えば、特許文献２参照）。
前者は、必然的に長尺になり、重量が嵩む上に、ハンドルへの取り付け操作が煩雑で、脱着操作を誤るとウインドなど車内を破損させてしまうおそれがある。
一方、後者は、警報装置自体の機構が簡単で自動車への組み込みが容易ではあるが、ハンドル内に熱振動感知部を設ける必要があって、それ専用のハンドルを使用しなければならず、どの自動車にも取り付けられるというものではないので、汎用性がなく自動車への装着が車種に限定されるという不便がある。
【０００３】
【特許文献１】
特開平６−２１９２４２号公報  （第１−４頁、図１）
【特許文献２】
実開平７−１９０２８号公報  （第１−３頁、図１）
【０００４】
【発明が解決しようとする課題】
上記のことから本発明が解決しようとする課題は、自動車のハンドルに取り付ける盗難防止警報装置において、ハンドルへの取り付け、取り外しを容易にすること、軽量であること、車種に限定されず汎用性があること、電波法に規制されないこと、制御回路のＯＮ、ＯＦＦなど使用の操作性に優れていることなどにある。
【０００５】
【課題を解決するための手段】
そこで本発明は、ほぼ箱型のケース本体内に、電池と、赤外線センサー受光器と、それぞれ振動センサーに連なるブザーとフラッシュと、作動切換えスイッチと、上記各電気部材の作動を制御するようにした配線基板を内蔵し、ケース本体の下端部に、自動車のハンドルリングの円弧の外側に沿う当接部を設け、このケース本体の背面側に、高さ方向に沿って逆止爪を連設したラック部と、下部前方に上記当接部と対向して内側からハンドルリングの円弧に沿う挟持部とを備えたロックバーを昇降自在に嵌合し、該ケース本体内に、上記ロックバーのラック部の逆止爪と内端部を係合させる回転レバーと、該回転レバーを常時ラック部に向けて付勢するばねとを備えた施錠機構を設け、上記ロックバーに、上昇時に上記作動切換えスイッチをＯＮする接片部を設けたことを特徴とする自動車のハンドルに取り付ける盗難防止警報装置を提供するものである。
【０００６】
上記のように構成した本発明警報装置は、装置全体が軽量で扱い易く、ハンドルへの着脱操作が容易にできる。
すなわち、ハンドルへの装着は、ケース本体の下端部に備えた当接部をハンドルリングの外側に沿わせ、内側からロックバーの下部前方に備えた挟持部を当てがいつつ押し上げるという簡単な操作により、ケース本体とロックバーとの間にハンドルを挟持させて装着することができる。
ケース本体の装着状態は、ロックバーの押し上げとともに上昇するラック部が、上昇位置にある逆止爪を、常時ケース本体内でばねに付勢されている施錠機構の回転レバーの内端部と係合することにより保持され、ロックバーが押し上げ位置に施錠される。この施錠状態は、ケース本体の正面側にある鍵穴に挿入される所定のキーの開錠操作によって解除され、施錠を解除したロックバーを下げて、当接部と挟持部との間隔を開き、ケース本体をハンドルから外すことができる。
【０００７】
なお、ロックバーとともに上昇した接片部は、作動切換えスイッチをＯＮに切り換え、警報装置を待機状態にする。この待機状態において、妄りにハンドルを含めて車体が揺れると、それぞれ振動センサーに連なるブザーとフラッシュが作動して周囲に光と音の警報が発信され、駐車中の自動車が非常事態にあることを周囲に喚起して、盗難を予防する。
なお、赤外線センサー受光器は、この種赤外線使用の警報装置において公知の赤外線投光型のリモートコントローラに反応して作動制御回路をＯＮ、ＯＦＦに切り換える。したがって、自動車の所有者は、車から離れた位置で、赤外線センサー受光器を照射して本発明警報装置を警報待機状態にセットし、同様にして、自動車を使用する前に本発明警報装置をリセットする。
【０００８】
【実施例】
以下に本発明の実施例を図面について説明する。
図１は、本発明の実施例を示す正面図、図２は、内部構造を説明する一部切欠正面図、図３は、内部構造を説明する一部切欠側面図、図４は、ハンドルへのに取り付け状態を説明する一部切欠側面図、図５は切り換えスイッチの別の態様例を示す一部切欠正面図である。
【０００９】
実施例を示す図において、１は、正面上部に中空の透光部２を嵌着してほぼ箱型に形成したケース本体、３は、図３、４に示すように本体１内の前部に収納した電池、４は、電池収納部の蓋、５は、図１に示すように蓋４の右手に鍵穴５’を臨ませて内蔵させた施錠機構である。
【００１０】
ケース本体１は、上部の透光体２内に赤外線センサー受光部６と、青色ＬＥＤを使用したフラッシュ７を内蔵し、透光体２の下部に圧電素子型のブザー８を内蔵し、これらの電気部材の作動を制御するように配線した配線基板９を内蔵している。またケース本体１の下端部は、上側からハンドルの円弧面に沿うように上に凸に湾曲した当接部１０を具えている。
なお、フラッシュ７とブザー８は、配線基板９を介して同じくケース本体１に内蔵させた図示省略の振動センサーに接続されている。
【００１１】
ロックバー１２は、図１、２に示すように、下部前方に、ケース本体１側の当接部１０と対向する位置に、上に凸に湾曲する挟持部１１を具え、図２に示すように、一方の側面に高さ方向に沿って連設した逆止爪をラック部１３として備え、ラック部１３と対向する他側部をガイド杆１４とし、中央部に嵌めた復元用のばね１５とともに、ケース本体１の背面側に設けた昇降ガイド部１６内に嵌合し、ケース本体１に対して図示上下方向に昇降を可能にして嵌装されている。
【００１２】
ラック部１３と係合してロックバー１２を挟持位置に施錠する施錠機構５は、図２に示すように、ケース本体１の右側下部に形成した収容部１７に収容され、内端に連設した回転レバー１８を付勢ばね１９に押圧させて、爪形の内端部２０をラック部１３の逆止爪に常時係合させ、ロックバー１２の上昇は許容するが、下降はキーの開錠操作によって回転レバー１８を後退させない限り阻止するように備えている。
【００１３】
警報装置を待機状態に切り換える作動切換えスイッチ２１は、図４に示すように、配線基板９の背面側に取り付けられており、該スイッチ２１の作動を切り換える接片部２２は、ロックバー１２の中間に設けられている。作動切換えスイッチ２１は、常時はＯＦＦを保ち、同図に示すように、ロックバー１２を押し上げてケース本体１との間にハンドルＨを挟持させたときに、ロックバー１２側の接片部２２と接してＯＮに切り換わる。
本発明において、作動切換えスイッチ２１は、図４に示すようにリミットスイッチを用いることもできるが、図５に示すように二つの接片部２１’を延長して該スイッチ２１の作動をより確実に行わせるようにする場合もある。
【００１４】
次に以上の構造を備えた実施例の使用について述べると、本警報装置を装着すべき車のハンドルＨの円弧の外側にケース本体１の下端部の当接部１０を沿わせ、ロックバー１２を図３の位置から図４に示すように押し上げると、押し上げられた挟持部１１とケース本体１側の固定の当接部１０との間にハンドルＨが挟持される。
本警報装置の装着状態は、ラック部１３と回転レバー１８側の内端部２０の逆止爪同士の噛合により維持され、接片部２２が上昇する過程で作動切換えスイッチ１８をＯＮに切り換えることにより、施錠と警報待機状態とが同時に具現する。なお、施錠機構５は、予め施錠状態に保持されていて付勢ばね１９に付勢されている回転レバー１８の内端部２０とラック部１３との係合は自動的に行われる。また、ハンドルＨへの装着を終えたケース本体１は、車外に出た使用者が赤外線投光器を備えたリモートコントローラから照射した赤外線が赤外線センサー受光部６に受信されることよってセット状態を完了する。本警報装置のセット状態は、赤外線センサー受光部６に連なるチェックランプ２３の点灯により確認できる。
【００１５】
本警報装置のリセットは、セット時とは逆の手順で行われることはいうまでもなく、車外からの赤外線照射と、キーの開錠操作と、ロックバーの下降という簡単な操作でケース本体をハンドルから外すことができる。
なお、本発明の実施に際して、ケース本体１の形状を含めて各部の形状等は、本発明の要旨に沿ってその態様を適宜に設計変更できることはいうまでもない。
【００１６】
【発明の効果】
前記のように構成し、上記のように用いられるようにした本発明警報装置は、装置自体が軽量で、かつ、ハンドルへの脱着操作が上述のように簡単である。したがって、間違って自動車を損傷させるようなおそれが無く、車種を選ばず汎用に使用できて便利である。
また、耐久性に優れ、作動の確実性と信頼性に富み、盗難予防効果に優れているなどきわめて有用である。
【図面の簡単な説明】
【図１】図１は、本発明の実施例を示す正面図
【図２】図２は、内部構造を説明する一部切欠正面図
【図３】図３は、内部構造を説明する一部切欠側面図
【図４】図４は、ハンドルへのに取り付け状態を説明する一部切欠側面図
【図５】図５は、切り換えスイッチの別の態様を示す一部切欠正面図である。
【符号の説明】
１  ケース本体
２  透光部
３  電池
４  蓋
５  施錠機構      （５’  鍵穴）
６  赤外線センサー受光部
７  フラッシュ
８  ブザー
９  配線基板
１０  当接部
１１  挟持部
１２  ロックバー
１３  ラック部
１４  ガイド杆
１５  復元用ばね
１６  昇降ガイド部
１７  収容部
１８  回転レバー
１９  付勢ばね
２０  内端部
２１  作動切り換えスイッチ    （２１’  接片）
２２  接片部
２３  チェックランプ
Ｈ  ハンドル
【図１】
2004168178.tif 000003
【図２】
2004168178.tif 000004
【図３】
2004168178.tif 000005
【図４】
2004168178.tif 000006
【図５】
2004168178.tif 000007